(57)【要約】【課題】  収容するマガジンのサイズに応じてワンタッチで収納部サイズを変更すると共に、複数の収納部サイズを同時に同一サイズに設定、変更する。【解決手段】  回転軸１６と、回転軸１６に設けられたスプロケット１７ａと、スプロケット１７ａに噛合されたチェーン１８と、チェーン１８に噛合される第１のスプロケット群と、回転軸１６に設けられたスプロケット１７ｂと、スプロケット１７ｂに噛合されたチェーン１９と、チェーン１９に噛合される第２のスプロケット群と、固定側板１４ａと、固定側板１４ｂと、固定側板１４ｂと固定側板１４ａとの間に配置され上面の２箇所でチェーン１８と接続され下面の２箇所でチェーン１９と接続された可動側板１５ａと、可動側板１５ａと固定側板１４ｂとの間に配置され上面の２箇所でチェーン１８と接続され下面の２箇所でチェーン１９と接続された可動側板１５ｂとを有している。【選択図】  図２
2006016096.tif 000002
【特許請求の範囲】
【請求項１】
筺体内に回転自在に枢支された唯一個の回転軸と、該回転軸の第１の部分に設けられた第１のスプロケットと、該第１のスプロケットに噛合された第１のチェーンと、該第１のチェーンに噛合される複数個のスプロケットから成る第１のスプロケット群と、前記回転軸の第２の部分に設けられた第２のスプロケットと、該第２のスプロケットに噛合された第２のチェーンと、該第２のチェーンに噛合される複数個のスプロケットから成る第２のスプロケット群と、筺体の側部に固定された第１の固定側板と、筺体の他の側部に固定された第２の固定側板と、該第２の固定側板と前記第１の固定側板との間に配置されその端面の２箇所で前記第１のチェーンの第１の方向に送行する部分と接続され他の端面の２箇所で前記第２のチェーンの第１の方向に送行する部分と接続された第１の可動側板と、該第１の可動側板と前記第２の固定側板との間に配置されその端面の２箇所で前記第１のチェーンの第２の方向に送行する部分と接続され他の端面の２箇所で前記第２のチェーンの第２の方向に送行する部分と接続された第２の可動側板とを有し、前記第１の可動側板または前記第２の可動側板を前記第１または第２のチェーンに沿って該チェーンと共に移動させることによって、前記第１の固定側板と前記第１の可動側板間の距離と、前記第２の固定側板と前記第２の可動側板間の距離を同時に同一の長さに変更、設定することを特徴としたマガジンラック機構。
【請求項２】
前記第２の可動側板または該第２の可動側板および前記第２の固定側板を着脱自在に形成したことを更に特徴とする請求項１に記載のマガジンラック機構。
【請求項３】
前記第２の固定側板と前記第２の可動側板とを除去して前記第１の固定側板と該第１の固定側板と対向する前記第１の可動側板の組み合わせのみとし、前記第１の可動側板を前記第１または第２のチェーンに沿って該チェーンと共に移動させることによって、前記第１の固定側板と前記第１の可動側板間の距離を任意に設定、変更することを更に特徴とする請求項１に記載のマガジンラック機構。
【請求項４】
筺体内に回転自在に枢支された唯一個の回転軸と、該回転軸の第１の部分に設けられた第１のスプロケットと、該第１のスプロケットに噛合された第１のチェーンと、該第１のチェーンに噛合される複数個のスプロケットから成る第１のスプロケット群と、前記回転軸の第２の部分に設けられた第２のスプロケットと、該第２のスプロケットに噛合された第２のチェーンと、該第２のチェーンに噛合される複数個のスプロケットから成る第２のスプロケット群と、筺体の側部に固定された固定側板と、該固定側板に対向して配置されその端面の２箇所で前記第１のチェーンの第１の方向に送行する部分と接続され他の端面の２箇所で前記第２のチェーンの第１の方向に送行する部分と接続された可動側板とを有し、前記可動側板を前記第１または第２のチェーンに沿って該チェーンと共に移動させることによって、前記固定側板と前記可動側板間の距離を任意に設定、変更することを特徴としたマガジンラック機構。
【請求項５】
前記回転軸の任意の部分に該回転軸の回転を停止させる回転停止手段を設けたことを更に特徴とする請求項１〜請求項４のいずれか一項に記載のマガジンラック機構。
【請求項６】
前記第１及び第２の可動側板の走行をガイドするガイドレールを設けたことを更に特徴とする請求項５に記載のマガジンラック機構。
【請求項７】
前記ガイドレールを前記可動側板の一端両側及び前記可動側板の他端両側に一個宛設けたことを更に特徴とする請求項６に記載のマガジンラック機構。
【請求項８】
前記可動側板の前記ガイドレールと当接する部分に該ガイドレール上を摺動して該可動側板の進行方向に対して直角方向にずれるのを阻止するピンを設けたことを更に特徴とる請求項６または請求項７のいずれか一項に記載のマガジンラック機構。
【発明の詳細な説明】
【技術分野】
【０００１】
本発明は、マガジン（ここで、マガジンとは、例えばプリント基板、プリント配線板、雑誌、写真帳、ＣＤ、ＤＶＤ、ＭＤ等の記憶媒体等を意味する）を収納するマガジンラック機構に関し、特に、収納するマガジンのサイズに応じて、ワンタッチで収納部サイズを変更すると共に、複数の収納部サイズを同時に、同一サイズに変更することを可能としたマガジンラック構造（装置）に関する。
【背景技術】
【０００２】
図１０は従来技術１を示す概略斜視図である。
【０００３】
図１０において、従来のマガジンラックは、筺体内に固定された固定側板３４と筺体内で移動可能に配置された可動側板３５を有しており、固定側板３４と可動側板３５と対向する面には、それぞれ複数個の桟３４ａ、３５ａが形成され、各桟３４ａと対向する桟３５ａにより上下に複数個の棚が形成されて、各棚にマガジンが載置収納されるように構成されている。
【０００４】
従来技術２として挙げられる特開２００２−１６７００７号公報に開示された収納式幅調整マガジンラックは、互いに対向する固定側板と移動側板との間に被収納物品を収納するとともに、該移動側板の移動により収納幅を調整できるようにしたマガジンラックであって、該マガジンラックは、天板と底板とを着脱可能に連結する支柱と、該天板下面および底板上面のそれぞれに平行に対向配設され、前記移動側板の移動方向に沿って延在する各一対のガイドレールと、該各ガイドレールに支承されるとともに前記移動側板に連結されて該移動側板と一体的に移動可能とされた天板側移動側板保持部材および底板側移動側板保持部材と、天板側移動側板保持部材を同一方向に同期移動させる天板側同期移動機構部と、底板側移動側板保持部材を同一方向に同期移動させる底板側同期移動機構部と、天板側同期移動機構部と底板側同期移動機構部とを連結し、天板側移動側板保持部材と底板側移動側板保持部材とを同一方向に同期移動させる上下同期移動機構部とからなり、天板側同期移動機構部および底板側同期移動機構部は略コ字状に巻回された無限軌道の索状体を有し、該索状体に移動側板保持部材を接続することにより移動側板保持部材を同一方向に同期移動させるように構成されている。
【非特許文献１】特許出願人が特許出願の時に知っている技術（図１０）
【特許文献１】特開２００２−１６７００７号公報
【発明の開示】
【発明が解決しようとする課題】
【０００５】
しかしながら、図１０に示された従来技術１において、上記各棚に収納されるマガジンのサイズが異なった場合には、固定側板３４に対して可動側板３５を移動させてそれらの間隔を変更する必要が生じる。
【０００６】
しかるに、この必要性のために、天板に設けられた溝３９及び底板に設けられた溝３９に対してボルト４０を移動して両者の間隔を変更する必要があり、時間を要すると共に、極めてわずらわしい操作を強いられていた。
【０００７】
また従来技術２には、プーリ等にワイヤをゆるみなく張設するのが容易ではなく組立て工数を多く必要とすること、組立コストが増大するばかりか使用中にワイヤが緩んで動かなくなること、などの欠陥があり、実用性に乏しいという課題があった。
【０００８】
本発明は従来の上記実情に鑑みてなされたものであり、従って本発明の目的は、従来の技術に内在する上記欠点を解消することを可能とし、長期間安定な動作を維持できるばかりでなく、収容するマガジンのサイズに応じてワンタッチで収納部サイズを変更すると共に、複数の収納部サイズを同時に同一サイズに設定、変更することを可能とした新規なマガジンラック装置を提供することにある。
【課題を解決するための手段】
【０００９】
上記目的を達成する為に、本発明に係るマガジンラック機構は、筺体内に回転自在に枢支された唯一個の回転軸と、該回転軸の第１の部分に設けられた第１のスプロケットと、該第１のスプロケットに噛合された第１のチェーンと、該第１のチェーンに噛合される複数個のスプロケットから成る第１のスプロケット群と、前記回転軸の第２の部分に設けられた第２のスプロケットと、該第２のスプロケットに噛合された第２のチェーンと、該第２のチェーンに噛合される複数個のスプロケットから成る第２のスプロケット群と、筺体の側部に固定された第１の固定側板と、筺体の他の側部に固定された第２の固定側板と、該第２の固定側板と前記第１の固定側板との間に配置されその端面の２箇所で前記第１のチェーンの第１の方向に送行する部分と接続され他の端面の２箇所で前記第２のチェーンの第１の方向に送行する部分と接続された第１の可動側板と、該第１の可動側板と前記第２の固定側板との間に配置されその端面の２箇所で前記第１のチェーンの第２の方向に送行する部分と接続され他の端面の２箇所で前記第２のチェーンの第２の方向に送行する部分と接続された第２の可動側板とを備えて構成され、前記第１の可動側板または前記第２の可動側板を前記第１または第２のチェーンに沿って該チェーンと共に移動させることによって、前記第１の固定側板と前記第１の可動側板間の距離と、前記第２の固定側板と前記第２の可動側板間の距離を同時に同一の長さに設定、変更することを特徴としている。
【００１０】
前記第２の可動側板または該第２の可動側板および前記第２の固定側板を着脱自在に形成することができる。
【００１１】
前記第２の固定側板と前記第２の可動側板とを除去して前記第１の固定側板と該第１の固定側対向する第１の可動側板の組み合わせを１個とし、前記第１の可動側板を前記第１または第２のチェーンに沿って該チェーンと共に移動させることによって、前記第１の固定側板と前記第１の可動側板間の距離を任意に設定、変更することができる。
【００１２】
本発明に係るマガジンラック機構はまた、筺体内に回転自在に枢支された唯一個の回転軸と、該回転軸の第１の部分に設けられた第１のスプロケットと、該第１のスプロケットに噛合された第１のチェーンと、該第１のチェーンに噛合される複数個のスプロケットから成る第１のスプロケット群と、前記回転軸の第２の部分に設けられた第２のスプロケットと、該第２のスプロケットに噛合された第２のチェーンと、該第２のチェーンに噛合される複数個のスプロケットから成る第２のスプロケット群と、筺体の側部に固定された固定側板と、前記固定側板に対向して配置されその端面の２箇所で前記第１のチェーンの第１の方向に送行する部分と接続され他の端面の２箇所で前記第２のチェーンの第１の方向に送行する部分と接続された可動側板とを有し、前記可動側板を前記第１または第２のチェーンに沿って該チェーンと共に移動させることによって、前記固定側板と前記可動側板間の距離を任意に設定、変更することを特徴としている。
【００１３】
前記回転軸の任意の部分に該回転軸の回転を停止させる回転停止手段を設けている。
【００１４】
前記第１及び第２の可動側板の走行をガイドするガイドレールを設けている。
【００１５】
前記ガイドレールを前記第１、第２の可動側板の一端両側及び前記第１、第２の可動側板の他端両側に一個ずつ設けている。
【００１６】
前記第１、第２の可動側板の前記ガイドレールと当接する部分に該ガイドレール上を摺動して該第１、第２の可動側板の進行方向に対して直角方向にずれを阻止するピンを設けている。
【発明の効果】
【００１７】
本発明によれば、図１または図２において、可動側板１５ａまたは可動側板１５ｂをチェーン１８またはチェーン１９の移動方向に手動で動かすことによって、チェーン１８、スプロケット１７ａ、第１のスプロケット群１７ｃ〜１７ｇ、及びチェーン１９、スプロケット１７ｂ、第２のスプロケット群１７ｈ〜17&#8467;の連動を介して可動側板１５ａは図２の矢印２７の方向に移動して、固定側板１４ａに近接すると同時に、可動側板１５ｂは図２の矢印２８の方向に移動して固定側板１４ｂに近接する。可動側板１５ａまたは１５ｂを上記の方向と反対側に移動させれば、可動側板１５ａは固定側板１４ａから遠ざかると同時に、可動側板１５ｂは固定側板１４ｂから遠ざかる。いずれにしても、固定側板１４ａと可動側板１５ａとの間隔と固定側板１４ｂと可動側板１５ｂとの間隔は同一であり、同一間隔を維持して変化する。
【００１８】
従って、本発明によれば、複数のラックの間隔をワンタッチで同一距離に設定することができる。
【００１９】
しかして、複数のラックの間隔が同一距離に設定された後には、回転阻止手段２５がロックされて固定される。
【００２０】
本発明によればまた、第１、第２の固定側板１４ａ、１４ｂ、第１、第２の可動側板１５ａ、１５ｂを着脱自在に形成することによって、必要に応じて、第１の固定側板１４ａ、第１の可動側板１５ａの組合せかまたは第２の固定側板１４ｂ、第２の可動側板１５ｂの組合せを取り外して除去し、固定側板と可動側板の組を一組のみとして実施することが可能となり、利便性が大幅に拡張される利点が得られる。
【発明を実施するための最良の形態】
【００２１】
次に、本発明を実施するための最良の形態について、その好ましい実施例１、実施例２、実施例３に基づいて図１〜図９を参照しながら具体的に説明する。
【実施例１】
【００２２】
図１は本発明に係るマガジンラック機構の実施例１を示す概略斜視図、図２は天板と底板を除去して内部を詳細に示す概略斜視図である。
【００２３】
図１、図２を参照するに、参照符号１１は天板を、１２は底板をそれぞれ示し、これらの天板１１、底板１２は、４隅に設けられた４本の支柱１３、１３、１３、１３によって固定支持されている。
【００２４】
任意の２本の支柱１３、１３の間には側板１４ａが固定され、対向する他の支柱１３、１３の間には側板１４ｂが固定されている。
【００２５】
固定側板１４ａに対向する中間部には可動側板１５ａが配設され、一方固定側板１４ｂに対向する中間部には可動側板１５ｂが配設されている。
【００２６】
天板１１と底板１２との間の一箇所には、唯一本の回転する支柱（回転軸）１６が設けられている。回転軸１６の天板１１に近接した部分にはスプロケット１７ａが、底板１２に近接した部分にはスプロケット１７ｂがそれぞれ連設されている。
【００２７】
天板１１に近接した内側領域にはスプロケット１７ｃ、１７ｄ、１７ｅ、１７ｆ、１７ｇから成る第１のスプロケット群が回転自在に配設され、底板１２に近接した内側領域にはまた、スプロケット１７ｈ、１７ｉ、１７ｊ、１７ｋ、17&#8467;から成る第２のスプロケット群がそれぞれ回転自在に軸支されている。
【００２８】
スプロケット１７ａ、１７ｃ〜１７ｇの間にはチェーン１８が装架され、スプロケット１７ｂ、１７ｈ〜１７&#8467;の間にはチェーン１９が装架されている。
【００２９】
可動側板１５ａのチェーン１８及びチェーン１９に当接する部分４箇所には、チェーン１８及びチェーン１９に接続固定される固定手段２１が設けられている。可動側板１５ａに設けられた固定手段２１は、図３に見られるように、チェーン１９のスプロケット噛合部にピン２１ａを挿着することによりチェーン１９と連結される。また同様に、可動側板１５ｂのチェーン１８及びチェーン１９に当接する部分４箇所には、チェーン１８、１９に接続固定される固定手段２１’が設けられている。ここで注意することは、固定手段２１と固定手段２１’は可動側板１５ａと可動側板１５ｂとが常に反対方向に動くように、チェーン１８、チェーン１９に固定されることである。即ち換言すれば、可動側板１５ａはチェーン１８、１９の送行方向２７の部分に固定手段２１で接続され、可動側板１５ｂはチェーン１８、１９の送行方向２７の部分に固定手段２１’で接続されている。
【００３０】
２２は把手である。
【００３１】
２３は可動側板１５ａ、１５ｂの移動をガイドするガイドレールである。ガイドレール２３には、可動側板１５ａ、１５ｂがガイドレール２３に対して直角方向にずれないように、ピン２４が形成されている。
【００３２】
回転軸１６の長手方向任意の部分には、図４、図５に示される如き回転軸１６の回転を阻止する回転阻止手段２５が設けられている。
【００３３】
図４、図５を参照するに、回転阻止手段２５は、回転軸１６を挿通する孔が形成され、例えば固定側板１４ａに固定された本体２５ａと、本体２５ａに形成された回動軸２５ｂと、回動軸２５ｂに突設されたハンドル２５ｃと、本体２５ａの近傍に突設されたハンドル停止用ピン２５ｄとを有している。回転軸１６が回転している時にハンドル２４ｃを図４の矢印の方向に回動すれば、回転軸１６の回転は停止すると共に、ハンドル２５ｃはピン２５ｄに当接してそれ以上のハンドル２５ｃの回動は停止させられる。
【００３４】
次に図６〜図８を参照するに、固定側板１４ａの内面とこの固定側板１４ａと対向する可動側板１５ａの内面には天板１１または底板１２に平行した複数個の桟２９がそれぞれ形成され、固定側板１４ａと可動側板１５ａのそれぞれ内側に設けられた同位置の２個の桟２９によりシェルフすなわち棚が形成され、そのシェルフにプリント基板等のマガジンが載置されて収容される。
【００３５】
固定側板１４ａ、１４ｂ、可動側板１５ａ、１５ｂの側面に複数個形成される桟２９は、ある所定の幅を有する複数のアルミ材の凹部、凸部を図６に示されるように嵌合することにより形成され、かくして形成された側板部材の長手方向両端にプリント基板などのマガジンを挿入しやすいようにテーパーが設けられた部材２９ａが挿着される。部材２９ａは合成樹脂材またはアルミニュウム等の金属材料が用いられる。部材２９ａが桟２９に挿着される場合には、桟２９に部材２９ａを当接した後に、裏から金属部材２９ｂを例えば、ねじによりねじ止めすることによって構成することができる。その際において、ねじのねじやまは桟アルミ材２９の凹部に配置されるようにすると好都合である。
【００３６】
次に本発明の実施例１の動作について説明するに、今、回転阻止手段２５が、図１の状態（ロック状態）ではなく、図４の状態にあり、回転軸１６が自由に回転することができる状況にあるものとする。
【００３７】
このときに、可動側板１５ａを前方から指で抓み、例えば図１の右方向、即ち固定側板１４ａの方向に押圧すると、可動側板１５ａは図２の右方向、即ち矢印２７の方向に移動すると共に、固定手段２１を介して接続されたチェーン１８、１９が矢印２７の方向に移動することにより可動側板１５ａが固定側板１４ａに近接させられ、同時にスプロケット１７ａ、１７ｂが反時計方向に回転して回転軸１６も反時計方向に回転させられ、チェーン１８は第１のスプロケット群１７ｃ〜１７ｇを介して、チェーン１９は第２のスプロケット群１７ｈ〜１７&#8467;を介してチェーン１８、１９を矢印２７の方向に移動させる。
【００３８】
従って、可動側板１５ａは、固定側板１４ａに近接するように移動させられると同時に、可動側板１５ｂは固定側板１４ｂに近接するように移動させられる。可動側板１５ａと可動側板１５ｂの移動速度は同一であるので、可動側板１５ａと固定側板１４ａの間隔と可動側板１５ｂと固定側板１４ｂの間隔は常に同一に保たれる。
【００３９】
上記とは逆に、可動側板１５ｂを前方から指で抓み、例えば図１の左方向、即ち固定側板１４ｂの方向に押圧すると、可動側板１５ｂは図２の左方向、即ち、矢印２８の方向に移動すると共に、固定手段２１を介して接続されたチェーン１８、１９が矢印２８の方向に移動することにより可動側板１５ｂが固定側板１４ｂに近接させられ、同時に前記と同様にスプロケット１７ａ、１７ｂが反時計方向に回転して回転軸１６も反時計方向に回転させられ、チェーン１８、１９を矢印２８の方向に移動させる。この場合にも前記と同様の結果が得られる。
【００４０】
しかして、固定側板１４ａと可動側板１５ａとの間隔と、固定側板１４ｂと可動側板１５ｂとの間隔が、所望の長さの同一距離に設定された時に、回転軸１６の回転阻止手段２５のハンドル２５ｃを操作して回転阻止手段２５を図５に示されるようにロックし、回転軸１６が回転しないようにした後で、固定側板１４ａと可動側板１５ａとで形成されたシェルフと固定側板１４ｂと可動側板１５ｂとで形成されたシェルフそれぞれにプリント配線板等所定のマガジンを収納する。
【実施例２】
【００４１】
図９は本発明に係るマガジンラック機構の実施例２を示す概略斜視図である。図９は実施例１を示す図１から固定側板１４ｂと可動側板１５ｂとを除去して固定側板１４ａと可動側板１５ａとの一組のみとした場合の図である。代わりに、固定側板１４ａと可動側板１５ａの組合せを除去してもよい。
【００４２】
いずれにしても、この実施例２においては、固定側板１４ａ、１４ｂ、可動側板１５ａ、１５ｂは、チェーン１８、チェーン１９に対して着脱自在に形成され、必要に応じて、不必要な固定または可動側板を取り外して除去することができるように構成されている。
【００４３】
可動または固定側板をチェーン１８、チェーン１９から着脱自在に構成する手段は、例えば、図３に示されるように、可動側板１５ａをチェーン１９に固定する手段として本発明においては可動側板１５ａに設けられた固定手段２１におけるチェーン１９のスプロケット噛合部に挿着されるピン２１ａが用いられているが、このピン２１ａを除去することにより、可動側板１５ａとチェーン１９の係合関係が外されるので、チェーン１８、１９と固定側板１４ａ、１４ｂ、可動側板１５ａ、１５ｂ間でこの係合構造を実現すればよい。
【００４４】
次に本発明に係る実施例２の動作について図１、図２、図４、図５、図９を参照しながら説明するに、今、回転阻止手段２５が、図５の状態（ロック状態）ではなく、図４の状態にあり、回転軸１６が自由に回転することができる状況にあるものとする。
【００４５】
このときに、可動側板１５ａを前方から指で抓み、例えば図９の右方向、即ち固定側板１４ａの方向に押圧すると、可動側板１５ａは図９の右方向、即ち図２の矢印２７の方向に移動すると共に、固定手段２１を介して接続されたチェーン１８、１９が矢印２７の方向に移動することにより可動側板１５ａが固定側板１４ａに近接させられ、同時に図２に示されたスプロケット１７ａ、１７ｂが反時計方向に回転して回転軸１６も反時計方向に回転させられ、チェーン１８は第１のスプロケット群１７ｃ〜１７ｇを介して、チェーン１９は第２のスプロケット群１７ｈ〜１７&#8467;を介してチェーン１８、１９を矢印２７の方向に移動させる。従って、可動側板１５ａは、固定側板１４ａに近接するように移動させられる。
【００４６】
しかして、固定側板１４ａと可動側板１５ａとの間隔が所定の長さに設定されたときに、回転軸１６の回転阻止手段２５のハンドル２５ｃを操作して回転阻止手段２５を図５に示されるようにロックし、回転軸１６が回転しないようにしたあとで、固定側板１４ａと可動側板１５ａとで形成されたシェルフにプリント配線板等所定のマガジンを収納する。
【実施例３】
【００４７】
以上説明した実施例１、２においてはチェーン１８、１９の移動同期を採る手段として、回転軸１６と、この回転軸の端部に固定されたスプロケット１７ａ、１７ｂを用いた場合について説明したが、代わりに、回転軸１６を固定軸とし、この固定軸の両端部に回転自在に軸支されたスプロケット１７ａ、１７ｂとして構成することも可能である。この場合には回転阻止手段２５は使用することはできないので、可動側板１５ａまたは１５ｂの移動をロックする別のロック手段を設ける必要がある。
【産業上の利用可能性】
【００４８】
本発明は、例えば、流れ作業により刻々と製作されて連続的に搬送されてくるプリント基板、プリント配線板等のマガジンをラックに収納するときに利用することができる。
【図面の簡単な説明】
【００４９】
【図１】本発明に係るマガジンラック機構の実施例１を示す概略斜視図である。
【図２】天板と底板を除去して内部を詳細示すマガジンラック機構の概略斜視図である。
【図３】可動側板とチェーンの結合とガイドピンの詳細を示す部分斜視図である。
【図４】回転軸の回転阻止手段を示す斜視図であり、回転軸が回転状態にある図である。
【図５】回転軸の回転阻止手段を示す斜視図であり、回転軸が回転を停止された状態にある図である。
【図６】本発明に係る側板を組み立てる工程を説明する図である。
【図７】本発明に係る側板を組み立てる工程を説明する図である。
【図８】本発明に係る側板を組み立てる工程を説明する図である。
【図９】本発明に係るマガジンラック機構の実施例２を示す概略斜視図である。
【図１０】従来技術を説明するための概略斜視図である。
【符号の説明】
【００５０】
１１…天板
１２…底板
１３…支柱
１４ａ、１４ｂ…固定側板
１５ａ、１５ｂ…可動側板
１６…回転軸
１７ａ〜１７&#8467;…スプロケット
１８、１９…チェーン
２１、２１’…固定手段
２１ａ…ピン
２２…把手
２３…ガイドレール
２４…ピン
２５…回転阻止手段
２７、２８…チェーンの走行方向
２９…桟
２９ａ…部材
２９ｂ…金属部材
【図１】
2006016096.tif 000003
【図２】
2006016096.tif 000004
【図３】
2006016096.tif 000005
【図４】
2006016096.tif 000006
【図５】
2006016096.tif 000007
【図６】
2006016096.tif 000008
【図７】
2006016096.tif 000009
【図８】
2006016096.tif 000010
【図９】
2006016096.tif 000011
【図１０】
2006016096.tif 000012